(57)【要約】【課題】室内が負圧にならないように給気量を確保することができ、負圧等が室内に侵入するのを防止できる同時給排形換気装置を提供することを目的とする。【解決手段】本体６の室内側排気口１と室外側排気口３が連通する部分の一部に形成される排気流路１４と、本体６の室外側給気口４と室内側給気口２を連通する部分の一部に形成される給気流路１５と、本体６の室外側排気口３および室外側給気口４と連通するように本体６に設けられる排気連通路１９と給気連通路１８を有した２層のダクト接続部１７とを備え、給気流路１５を排気流路１４より広く形成することにより、室内が負圧にならない同時給排形換気装置が得られる。【選択図】図１
2005257122.tif 000002
【特許請求の範囲】
【請求項１】
室内側に臨ませた室内側排気口と室内側給気口、および室外側排気口と室外側給気口を設け、天井裏内に配置される本体と、この本体内に設けられる排気用ファンを排気用ファンケーシングで囲み形成した排気用送風機と、給気用ファンを給気用ファンケーシングで囲み形成した給気用送風機と、前記本体の室内側排気口と室外側排気口が連通する部分の前記排気用ファンケーシング内であって前記排気用ファン寄りから前記室外側排気口に至って形成される排気流路と、前記室外側給気口と室内側給気口が連通する部分で前記給気用ファンケーシング外の上流側から前記室外側給気口に至って形成される給気流路と、前記本体の室外側排気口および室外側給気口と連通するように前記本体に設けられる２層のダクト接続部とを備え、前記給気流路を前記排気流路より全体として広く形成した構成とする同時給排形換気装置。
【請求項２】
室外側に臨ませた室内側排気口と室内側給気口、および室外側排気口と室外側給気口を設け、天井裏内に配置される本体と、この本体内に設けられる排気用ファンを排気用ファンケーシングで囲み形成した排気用送風機と、給気用ファンを給気用ファンケーシングで囲み形成した給気用送風機と、前記本体の室外側排気口および室外側給気口と連通するように前記本体に設けられる２層のダクト接続部と、前記室内側排気口と室外側排気口が連通する部分の前記排気用ファンケーシング内であって前記排気用ファン寄りから前記２層のダクト接続部のダクト接続側に至って形成される排気流路と、前記室外側給気口と室内側給気口が連通する部分で前記給気用ファンケーシング外の上流側から前記２層のダクト接続部のダクト接続側に至って形成される給気流路とを備え、前記給気流路を前記排気流路より全体として広く形成した構成とする同時給排形換気装置。
【請求項３】
前記給気流路を前記排気流路より部分的に広く形成した請求項１または２記載の同時給排形換気装置。
【請求項４】
前記給気流路の給気入口側の流路を、前記排気流路の排気出口側の流路より広く形成した請求項１または２記載の同時給排形換気装置。
【請求項５】
前記給気流路の給気入口側と連通する給気用ファンケーシングの給気入口開口を、前記排気流路の排気出口側と連通する排気用ファンケーシングの排気出口開口より広く形成した請求項１、２、または３記載の同時給排形換気装置。
【請求項６】
本体に設けられる室外側給気口を室外側排気口より広く形成した請求項１、２、または３記載の同時給排形換気装置。
【請求項７】
前記給気流路の給気入口側と連通するダクト接続部の給気連通路を前記排気流路の排気出口側に連通するダクト接続部の排気連通路より広く形成した請求項１または３記載の同時給排形換気装置。
【請求項８】
本体に形成された室外側給気口よりダクト接続部の給気連通路を狭く形成した請求項１または３記載の同時給排形換気装置。
【請求項９】
給気流路の給気入口側とダクト接続部の給気連通路および、排気流路の排気出口側とダクト接続部の排気連通路を同一形状に形成した請求項１〜７のいずれかに記載の同時給排形換気装置。
【請求項１０】
ダクト接続部に設けられる給気連通路および排気連通路を本体側は水平方向で上下に形成し、ダクト側は垂直方向で左右に同形状で設けられるように前記ダクト接続部内で給気連通路および排気連通路をひねるように形成した請求項７〜９のいずれかに記載の同時給排形換気装置。
【請求項１１】
本体に設けられる室外側給気口の横幅を室外側排気口の横幅より大きく形成して給気量を排気量より多くする構成とした請求項１〜１０のいずれかに記載の同時給排形換気装置。
【請求項１２】
本体の室内側に面して排気用ファンケーシングを設け、給気用ファンケーシングを前記排気用ファンケーシングに隣接し、前記本体内の反室内側に設けた請求項１〜１１のいずれかに記載の同時給排形換気装置。
【請求項１３】
本体の室内側に面して排気用ファンケーシングおよび給気用ファンケーシングを並設した請求項１〜７のいずれかに記載の同時給排形換気装置。
【請求項１４】
排気用ファンケーシングの下方からフィルターを有したフィルターケースを挿脱自在に設け、給気流路を横断させてフィルターを配設した請求項１〜７のいずれかに記載の同時給排形換気装置。
【請求項１５】
前記フィルターケースに、排気流路の排気出口からダクト接続部の排気連通路への排気流を案内する案内ガイドを設けた請求項１〜７のいずれかに記載の同時給排形換気装置。
【発明の詳細な説明】
【技術分野】
【０００１】
本発明は、室内の空気を排気し、室外の空気を同時に給気する同時給排形換気装置に関する。
【背景技術】
【０００２】
従来、この種の同時給排形換気装置の一例として、二層管パイプを使用し給排気作用を行う換気装置が知られている（例えば特許文献１参照）。
【０００３】
以下、その換気装置について図１０を参照しながら説明する。
【０００４】
図に示すように、室内に連通する排気口１０１および給気口１０２を有するとともに、外部に連通させる通気口１０３を有する外筐１０４と、外筐１０４内に設けられる通気口１０３を排気口１０１に連通する吐出口１０５と、給気口１０２に連通する吸入口１０６とに仕切る仕切部材１０７と、外筐１０４の通気口１０３に連通され内部を二通路に仕切る仕切壁１０８が仕切部材１０７に対応して二通路が吐出口１０５および吸入口１０６に各別に連通する二層管パイプ１０９と、外筐１０４内に配設され、排気口１０１から吐出口１０５に向け排気送風する排気用ファン１１０および吸入口１０６から給気口１０２に向け給気送風する給気用ファン１１１とを設けている。
【特許文献１】特開昭５６-１１９４３７号公報（第２頁、第１図）
【発明の開示】
【発明が解決しようとする課題】
【０００５】
このような従来の換気装置では排気用ファン１１０により、室内空気を吐出する吐出口１０５と、給気用ファン１１１により室外空気を給気する吸入口１０６の開口面積は略同形状の広さに形成されていたので、外筐１０４内の構成等により給気用ファン１１１側の給気流路の空気抵抗が大きくなり室内空気の排気量に比較して室外空気の給気量が少なくなることにより、室内が負圧となり、室内の近隣における廊下や、トイレ、脱衣所等の汚れた空気の臭気が隙間を通って室内に吸入されることとなり、使用者に不快感を与えるという課題があった。
【０００６】
また、近頃はアレルギー対策として花粉や粉塵を除去する清浄フィルター等が給気流路に設けられ、給気流路の圧損がさらに大きくなり、給気量が排気量に比べて少なくなるという課題があった。
【０００７】
また、近年、天井裏の高さの低い住宅が増加している傾向にあるため、換気装置の高さを低くすることが求められており、換気装置の高さを低くすることにより給気量が低下するという課題があり、換気装置の高さを低くしても所定の給気量が得られるようにすることが要求されている。
【０００８】
本発明は、このような従来の課題を解決するものであり、室内が負圧にならないようにすることができ、また、本体の高さを低くしても所定の給気量を確保することのできる同時給排形換気装置を提供することを目的としている。
【課題を解決するための手段】
【０００９】
本発明の同時給排形換気装置は、上記目的を達成するために、本体の室内側排気口と室外側排気口が連通する部分の排気用ファンケーシング内であって排気用ファン寄りから前記室外側排気口に至って形成される排気流路と、本体の室外側給気口と室内側給気口が連通する部分で給気用ファンケーシング外の上流側から前記室外側給気口に至って形成される給気流路とを設け、給気流路を排気流路より全体として広く形成したものである。
【００１０】
この手段により、室内が負圧にならないように所定の給気量を確保することができ、臭気等が室内に侵入するのを防止することができる。
【００１１】
また、他の手段は、室内側排気口と室外側排気口が連通する部分の排気用ファンケーシング内であって排気用ファン寄りから２層のダクト接続部のダクト接続側に至って形成される排気流路と、室外側給気口と室内側給気口が連通する部分で給気用ファンケーシング外の上流側から前記２層のダクト接続部の接続側に至って形成される給気流路とを備え、前記給気流路を前記排気流路より全体として広く形成したものである。
【００１２】
この手段により、室内が負圧にならないように所定の給気量を確保することができ、トイレなどの臭気等が室内に侵入するのを防止することができる。
【００１３】
また、他の手段は、給気流路を排気流路より部分的に広く形成したものである。
【００１４】
この手段により、開口を合わすために複雑な形状に形成しなくても良く、抵抗の影響の少なくなる箇所の開口のみの形状を変えることにより別部品などを設けなくても構成することができる。
【００１５】
また、他の手段は、給気流路の給気入口側の流路を、排気流路の排気出口側の流路より広く形成したものである。
【００１６】
この手段により、給気流路と排気流路の風量の割合いが変わることなく安定した給排バランスを確保することができる。
【００１７】
また、他の手段は、給気流路の給気入口側と連通する給気用ファンケーシングの給気入口開口を、排気流路の排気出口側と連通する排気用ファンケーシングの排気出口開口より広く形成したものである。
【００１８】
この手段により、本体の高さを変えずに給気用ファンケーシングの高さの割合を大きくして給気量を多くすることができる。
【００１９】
また、他の手段は、本体に設けられる室外側給気口を室外側排気口より広く形成したものである。
【００２０】
この手段により、本体の形状のみで給気流路を排気流路より広くできるのでケーシング部分やダクト接続部を複雑な形状にする必要がなくなる。
【００２１】
また、他の手段は、給気流路の給気入口側と連通するダクト接続部の給気連通路を排気流路の排気出口側に連通するダクト接続部の排気連通路より広く形成したものである。
【００２２】
この手段により、ダクト接続部において給気連通路を大きく形成することにより本体やケーシング部分の形状を複雑な形状にする必要がなくなる。
【００２３】
また、他の手段は、本体に形成された室外側給気口よりダクト接続部の給気連通路を狭く形成したものである。
【００２４】
この手段により、圧力損失がなく、隙間より風が漏れるのが少なくなる。
【００２５】
また、他の手段は、給気流路の給気入口側とダクト接続部の給気連通路および排気流路の排気出口側とダクト接続口の排気連通路を同一形状に形成したものである。
【００２６】
この手段により、通気抵抗が少なくなり、接続部の空気の漏れを減少することができる。
【００２７】
また、他の手段は、ダクト接続部に設けられる給気連通路および排気連通路を本体側は水平方向で上下に形成し、ダクト側は垂直方向で左右に同形状で設けられるように前記ダクト接続部内で給気連通路および排気連通路をひねるように形成したものである。
【００２８】
この手段により、ダクトの屋外に設けられる屋外フードでは排気口と給気口を左右方向に形成していることにより、通常、ダクトは中央を垂直方向に仕切り、左右に同形状の排気路と給気路を形成しているので、このような一般のダクトを使用するのに適することになる。
【００２９】
また、他の手段は、本体に設けられる室外側給気口の横幅を室外側排気口の横幅より大きく形成して給気量を排気量より多くする構成としたものである。
【００３０】
この手段により、給気流路を排気流路より広く形成でき、本体高さを大きくする必要がなくなる。
【００３１】
また、他の手段は、本体の室内側に面して排気用ファンケーシングを設け、給気用ファンケーシングを前記排気用ファンケーシングに隣接し、前記本体内の反室内側に設けたものである。
【００３２】
この手段により、騒音を低くでき、また、高さを低くでき、天井裏の低い住宅にも適用することができる。
【００３３】
また、他の手段は、本体の室内側に面して排気用ファンケーシングおよび給気用ファンケーシングを並設したものである。
【００３４】
この手段により、騒音を低くすることができる。
【００３５】
また、他の手段は、排気用ファンケーシングの下方からフィルターを有したフィルターケースを挿脱自在に設け、給気流路を横断させてフィルターを配設したものである。
【００３６】
この手段により、給気流路と排気流路を一体化させて、流路間を仕切ることができ、ケーシング内のスペースを有効に利用することができる。
【００３７】
また、他の手段は、フィルターケースに排気流路の排気出口からダクト接続部の排気連通路への排気流を案内する案内ガイドを設けたものである。
【００３８】
この手段により、排気流路の排気出口からダクト接続部の排気連通路に至る風路抵抗を軽減することができるとともに、フィルターケースを利用して案内ガイドを設けることができる。
【発明の効果】
【００３９】
本発明によれば、室外が負圧にならないように所定の給気量を確保することができ、臭気等が室内に侵入するのを防止することのできる効果のある同時給排形換気装置を提供できる。
【００４０】
また、本体高さを高くすることなく給気量の増大を図ることのできる効果のある同時給排形換気装置を提供できる。
【００４１】
また、ダクト接続部で給気量の増大を図ることができるとともに、一般に使用されるダクトに適応する垂直方向の気流を形成できる。
【００４２】
また、圧力損失がなく、隙間からの空気漏れを防止できる。
【００４３】
また、排気ファンの着脱を容易にすることができる。
【００４４】
また、ケーシング内のスペースを有効に利用して給気流と排気流の浄化を同時に行うことができる。
【発明を実施するための最良の形態】
【００４５】
本発明の請求項１記載の同時給排形換気装置は室内側に臨ませた室内側排気口と室内側給気口、および室外側排気口と室外側給気口を設け、天井裏内に配置される本体と、この本体内に設けられる排気用ファンを排気用ファンケーシングで囲み形成した排気用送風機と、給気用ファンを給気用ファンケーシングで囲み形成した給気用送風機と、前記本体の室内側排気口と室外側排気口が連通する部分の前記排気用ファンケーシング内であって前記排気用ファン寄りから前記室外側排気口に至って形成される排気流路と、前記室外側給気口と室内側給気口が連通する部分で前記給気用ファンケーシング外の上流側から前記室外側給気口に至って形成される給気流路と、前記本体の室外側排気口および室外側給気口と連通するように前記本体に設けられる２層のダクト接続部とを備え、前記給気流路を前記排気流路より全体として広く形成したものであり、給気量を排気量以上に確保することにより、室内が負圧になることがなくなり、部屋の隙間を通り、他の場所の汚れた空気が室内に流入し臭気が放散されることが防止され、使用者に不快感を与えることがなくなるという作用を有する。
【００４６】
また、請求項２記載の同時給排形換気装置は、室外側に臨ませた室内側排気口と室内側給気口、および室外側排気口と室外側給気口を設け、天井裏内に配置される本体と、この本体内に設けられる排気用ファンを排気用ファンケーシングで囲み形成した排気用送風機と、給気用ファンを給気用ファンケーシングで囲み形成した給気用送風機と、前記本体の室外側排気口および室外側給気口と連通するように前記本体に設けられる２層のダクト接続部と、前記室内側排気口と室外側排気口が連通する部分の前記排気用ファンケーシング内であって前記排気用ファン寄りから前記２層のダクト接続部のダクト接続側に至って形成される排気流路と、前記室外側給気口と室内側給気口が連通する部分で前記給気用ファンケーシング外の上流側から前記２層のダクト接続部のダクト接続側に至って形成される給気流路とを備え、前記給気流路を前記排気流路より全体として広く形成したものであり、給気量を排気量以上に確保することにより、室内が負圧になることがなくなり、部屋の隙間を通り、他の場所の汚れた空気が室内に流入し臭気が放散されることが防止され、使用者に不快感を与えることがなくなるという作用を有する。
【００４７】
また、請求項３記載の発明は、給気流路を排気流路より部分的に広く形成したものであり、開口を合わすために複雑な形状に形成しなくても良く、抵抗の影響の少なくなる箇所の開口のみの形状を変えることにより別部品などを設けなくても構成できるという作用を有する。
【００４８】
また、請求項４記載の発明は、給気流路の給気入口側の流路を、排気流路の排気出口側の流路より広く形成したものであり、ファンケーシングとダクト接続部が当接し連通する給気流路の給気入口側の流路を広く形成していることにより、給気流路と排気流路の風量の割合が変わることなく安定した給排バランスを確保することができるという作用を有する。
【００４９】
また、請求項５記載の発明は、給気流路の給気入口側と連通する給気用ファンケーシングの給気入口開口を、排気流路の排気出口側と連通する排気用ファンケーシングの排気出口開口より広く形成したものであり、本体高さを変えずに給気用ファンケーシングの高さの割合を大きくして給気量を多くすることができ、より少ない回転数で風量を出すことができるという作用を有する。
【００５０】
また、請求項６記載の発明は、本体に設けられる室外側給気口を室外側排気口より広く形成したものであり、本体の形状のみで給気流路を排気流路より広くできることとなり、ケーシングやダクト接続部を複雑な形状にする必要がなくなるという作用を有する。
【００５１】
また、請求項７記載の発明は、給気流路の給気入口側と連通するダクト接続部の給気連通路を排気流路の排気出口側に連通するダクト接続部の排気連通路より広く形成したことにより、ダクト接続部において給気連通路の流路面積を広く形成することにより、本体やケーシングの形状を複雑な形にする必要がなくなるという作用を有する。
【００５２】
また、請求項８記載の発明は、本体に形成された室外側給気口よりダクト接続部の給気連通路を狭く形成したものであり、ダクト接続部の給気連通路の流路面積が本体に形成された室外側給気口より狭く形成されることにより圧力損失が無く、隙間より空気の漏れることが少なくなるという作用を有する。
【００５３】
また、請求項９記載の発明は、給気流路の給気入口側とダクト接続部の給気連通路および、排気流路の排気出口側とダクト接続部の排気連通路を同一形状に形成するものであり、通気抵抗が少なくなり、接続部分の空気漏れが少なくなるという作用を有する。
【００５４】
また、請求項１０記載の発明は、ダクト接続部に設けられる給気連通路および排気連通路を本体側は水平方向で上下に形成し、ダクト側は垂直方向で左右に同形状で設けられるように前記ダクト接続部内で給気連通路および排気連通路をひねるように形成したものであり、ダクトの屋外側に設けられる屋外フードは排気口と給気口を左右方向に形成していることにより、通常ダクトは中央を垂直方向に仕切り、左右に同形状の排気路と給気路を形成しているので、一般のダクトを使用するのに適するという作用を有する。
【００５５】
また、請求項１１記載の発明は、本体に設けられる室外排気口の横幅を室外側排気口の横幅より大きく形成して給気量を排気量より多くしたものであり、本体の高さ方向が限定される場合において、本体のダクト接続部側開口の高さ方向を大きく形成することができないため、給気の開口を幅広に形成することにより、給気流路を排気流路より大きく形成することができ、本体の高さを高くすることなく対応することができるという作用を有する。
【００５６】
また、請求項１２記載の発明は、本体の室内側に面して排気用ファンケーシングを設け、給気用ファンケーシングを前記排気用ファンケーシングに隣接し、前記本体内の反室内側に設けたものであり、給気用ファンのファン径を大きく形成できるため、回転数を下げて低騒音化を図ることができ、また、本体高さを低くできるため、天井裏が低い住宅などにも設置することができ、また、室内側の大きなほこりが付着し易い排気用ファンの掃除時の着脱が容易となるという作用を有する。
【００５７】
また、請求項１３記載の発明は、本体の室内側に面して排気用ファンケーシングおよび給気用ファンケーシングを並設したものであり、２層のダクト接続部の仕切りが縦向きとなり、ダクト接続部内の給気連通路および排気連通路をねじり形成する必要がなく、本体とダクト接続部の流路は直線状態となりダイレクトに給排することができるので、騒音を低くすることができるという作用を有する。
【００５８】
また、請求項１４記載の発明は、排気用ファンケーシングの下方からフィルターを有したフィルターケースを挿脱自在に設け、給気流路を横断させてフィルターを配設したものであり、給気流路と排気流路を一体化させて流路間を仕切ることとなり、排気用ファンケーシングおよび給気用ファンケーシング内のスペースを有効に利用することができるという作用を有する。
【００５９】
また、請求項１５記載の発明は、フィルターケースに、排気流路の排気出口からダクト接続部の排気連通路への排気流を案内する案内ガイドを設けたものであり、排気流路の排気出口からダクト接続部の排気連通路に至る風路が案内ガイドにより滑らかとなり風路抵抗を軽減することができるとともに、フィルターケースを用いて案内ガイドを設けることができ部品点数が増加するのを防止できる。
【００６０】
以下、本発明の実施の形態について図面を参照しながら説明する。
【００６１】
（実施の形態１）
図１〜５に示すように、下面が開口した箱状で下面に室内側排気口１と室内側給気口２を有し、側面に室外側排気口３と室外側給気口４を設け、下面の開口部周辺に取付用のフランジ部５を設けて本体６を形成し、排気用ファン７を排気用ファンケーシング８で囲み、モーター９で駆動されるように形成した排気用送風機１０と、排気用ファン７より大径の給気用ファン１１を給気用ファンケーシング１２で囲み、モーター９で駆動されるように形成した給気用送風機１３を、本体６の室内側に面して排気用ファンケーシング８を設け、給気用ファンケーシング１２を排気用ファンケーシング８に隣接し、本体６内の反室内側に設け、本体６の室内側排気口１と室外側排気口３が連通する部分の排気用ファンケーシング８内であって排気用ファン７寄りから室外側排気口３に至って形成される排気流路１４と、本体６の室外側給気口４と室内側給気口２が連通する部分で給気用ファンケーシング１２外の上流側から室外側給気口４に至って形成される給気流路１５を形成する。
【００６２】
また、室外と連通する２層のダクト１６を接続する２層のダクト接続部１７内には本体６の室外側給気口４と接続されダクト１６と連通する給気連通路１８および本体６の室外側排気口３と接続されダクト１６と連通する排気連通路１９を設け、給気連通路１８および排気連通路１９を本体６側は水平方向で上下に形成し、ダクト１６側は垂直方向で左右に同一形状の給気連通路入口１８ａと排気連通路出口１９ａが設けられるようにダクト接続部１７内で給気連通路１８および排気連通路１９を９０°ひねるように形成する。
【００６３】
さらに排気流路１４および排気連通路１９を含むように、室内側排気口１と室外側排気口３が連通する部分の排気用ファンケーシング８内であって排気用ファン７寄りから２層のダクト接続部１７のダクト接続側に至って排気流路が形成され、また、給気流路１５および給気連通路１８を含むように、室外側給気口４と室内側給気口２が連通する部分で給気用ファンケーシング１２外の上流側から２層のダクト接続部１７のダクト接続側に至って給気流路が形成されている。
【００６４】
また、本体６に設けられる室外側排気口３に対する室外側給気口４の流路面積と、排気流路１４の排気出口２１に対する給気流路１５の給気入口２０の流路面積および、ダクト接続部１７の排気連通路１９に対する給気連通路１８の流路面積を略５倍となるように広く形成し、給気流路１５を排気流路１４より部分的に広く形成する。
【００６５】
また、給気流路１５の給気入口２０および排気流路１４の排気出口２１には流路を排気路２２と給気路２３に仕切る仕切板２４と排気流路１４の排気出口２１からダクト接続部１７の排気連通路１９への排気流を案内する案内ガイド２５と取手２６を設けたフィルターケース２７の排気路２２と給気路２３にフィルター２８を設け、排気用ファンケーシング８の下方から排気用ファンケーシング８を通り給気用ファンケーシング１２内に配設されるようにフィルターケース２７を取手２６を介して挿脱自在に設け、給気流路１５に横断させてフィルター２８を設ける。
【００６６】
また、フランジ部５を介して天井板２９に取り付けられた本体６の室内側排気口１に連通する排気口３０と、本体６の室内側給気口２を形成する筒部３１に嵌挿し、連結される連結筒３２を介して形成される給気口３３とを設けたルーバー３４を本体６の下面開口を覆うように本体６に取り付け構成する。
【００６７】
上記構成において、同時給排形換気装置を運転すると、排気用送風機１０と給気用送風機１３が駆動し、ルーバー３４に設けた排気口３０より室内空気が吸い込まれ、本体６の室内側排気口１より排気流路１４を通り排気流が案内ガイド２５により室外側排気口３に案内され、室外側排気口３を経てダクト接続部１７の排気連通路１９を通りダクト１６を介して屋外に排出される。一方、給気用送風機１３により、屋外の空気がダクト１６を通り、ダクト接続部１７の給気連通路１８を通り、室外側給気口４よりフィルター２８を介して浄化された給気流が給気流路１５内に給気され、筒部３１により形成された室内側給気口２より連結筒３２を介してルーバー３４の給気口３３より給気され、同時給排が行われることとなる。
【００６８】
そして、給気流路を排気流路より全体として広く形成していることにより、排気流路に比べ給気流路の抵抗が少なくなり、所定の給気量を確保することができ、室内が負圧になることがなくなり、隙間を通って室内に外部の臭気等が侵入することがなくなる。「全体として広く形成している」とは、それぞれの流路のトータル流路の体積が給気流路の方が広いということである。
【００６９】
また、給気流路１５の給気入口２０を排気流路１４の排気出口２１より広く形成していることにより給気流路１５と排気流路１４における風量の割合が変わることなく安定した給排のバランスが確保できる。
【００７０】
また、給気用送風機１３を形成する給気用ファン１１の外径を大きくすることができることにより、回転数を下げて騒音を低下することができるとともに、本体６の高さを低くすることができ、天井裏の低い住宅にも設置することができる。
【００７１】
また、大きなほこりを含む室内空気を吸気して排気用ファン７が汚染し掃除するときには、ルーバー３４を取り外したのち、本体６の下面の開口側より排気用ファン７を排気用ファンケーシング８より取り出して掃除を行うことができる。
【００７２】
また、排気流路１４および給気流路１５を横断させてフィルターケース２７を配設していることにより、また、給気流路１５を横断させてフィルター２８を配設していることにより給気流路１５の集塵をフィルター２８により行うことができるとともに、排気用ファンケーシング８および給気用ファンケーシング１２内のスペースを有効に利用することができ、また、フィルターケース２７を利用して案内ガイド２５を設けることもできる。
【００７３】
そして、フィルター２８が汚染した場合には、ルーバー３４を取り外したのち、本体６の下面開口より取手２６を介してフィルターケース２７を取り外すことによりフィルターケース２７に設けたフィルター２８を掃除することができる。
【００７４】
また、ダクト接続部１７に設けられる給気連通路１８および排気連通路１９を本体６側は水平方向で上下に形成し、ダクト１６側は垂直方向で左右に同形状で設けられるようにダクト接続部１７内で給気連通路１８および排気連通路１９をひねるように形成していることにより、通常の左右に排気路と給気路を形成したダクト１６と直接接続が可能で容易にダクト接続部１７とダクト１６を接続することができる。
【００７５】
（実施の形態２）
図６に示すように、給気流路１５Ａの給気入口２０Ａ側とダクト接続部１７Ａの給気連通路１８Ａおよび、排気流路１４Ａの排気出口２１Ａ側とダクト接続部１７Ａの排気連通路１９Ａを同一形状に形成し、フィルター２８Ａを設けたフィルターケース２７Ａを排気出口２１Ａと給気入口２０Ａを横断して挿脱自在に設け構成する。その他の構成要素については、実施の形態１で示した図１と同様であり、その説明は省略する。
【００７６】
上記構成において、同時給排形換気装置を運転すると、排気用送風機１０Ａにより室内空気が排気流路１４Ａの排気出口２１Ａとダクト接続部１７Ａの排気連通路１９Ａが同一形状の開口面積に形成されていることにより排気流に対する通気抵抗は少なくなりスムーズに排気流は流れる。また、ダクト接続部１７Ａの給気通風路１８Ａと、給気流路１５Ａの給気入口２０Ａが同一形状の開口面積に形成されていることにより、給気流に対する通気抵抗は少なくなりスムーズに給気流が流れる。また、本体６Ａ側とダクト接続部１７Ａとの接続部分における空気漏れを少なくすることができるとともにフィルターケース２７Ａにダクト接続部１７Ａの排気連通路１９Ａに排気流を案内する案内ガイド等を設ける必要がなくなる。
【００７７】
（実施の形態３）
図７に示すように、本体６Ｂに形成された室外側給気口４Ａよりダクト接続部１７Ｂの給気連通路１８Ｂを狭く形成した構成とする。その他の構成要素については実施の形態１で示した図１と同様である。その説明は省略する。
【００７８】
上記構成において、同時給排形換気装置を運転すると、給気流はダクト接続部１７Ｂの給気連通路１８Ｂより本体６Ｂの室外側給気口４Ａに給気される。このとき、ダクト接続部１７Ｂの給気連通路１８Ｂの流路面積が本体６Ｂに形成された室外側給気口４Ａより狭く形成されていることにより、給気流は狭い面積のダクト接続部１７Ｂの給気連通路１８Ｂより本体６Ｂの広い面積の室外側給気口４Ａに流入することとなり、圧力損失が無くなるとともに、接続部分等により空気の漏れることがなくなる。
【００７９】
（実施の形態４）
図８に示すように、本体６Ｃに設けられる室外側給気口４Ｂの横幅寸法（Ａ）を室外側排気口３Ａの横幅寸法（Ｂ）より大きく形成して給気量を排気量より多くなるように構成したものである。
【００８０】
上記構成において、本体６Ｃのダクト接続部側開口となる室外側給気口４Ｂの高さ方向を大きく形成することができない場合に、室外側給気口４Ｂの横幅を大きくすることにより、給気流路１５Ｂを排気流路１４Ｂより大きくすることができ、本体６Ｃ高さを高くすることなく給気量の増大を図ることができる。
【００８１】
（実施の形態５）
図９に示すように、本体６Ｄの下方の開口に面して排気用ファンケーシング８Ａおよび給気用ファンケーシング１２Ａを並設して構成する。
【００８２】
上記構成において、本体６Ｄに形成される室外側排気口３Ｂと室外側給気口４Ｃは本体６Ｄの左右に並設されることにより、ダクト接続部１７Ｃは仕切部３５により縦方向に仕切られ、左右に給気連通路１８Ｃと排気連通路１９Ｂを形成したものを使用することができ、給気連通路１８Ｃと排気連通路１９Ｂの流路を本体６Ｄ側とダクト側で方向を変えるようにねじって形成する必要がなく、本体６Ｄの室外側排気口３Ｂおよび室外側給気口４Ｃと、ダクト接続部１７Ｃの排気連通路１９Ｂおよび給気連通路１８Ｂは直線状態となりダイレクトに給排することが可能となり、騒音を低減することができることとなる。
【産業上の利用可能性】
【００８３】
本発明は、給気量を排気量より多くする技術構成を用いてレンジ用換気扇や熱交換形換気扇、同時給排形レンジフードにも適用することができる。
【図面の簡単な説明】
【００８４】
【図１】本発明の実施の形態１の同時給排形換気装置の断面図
【図２】同同時給排形換気装置のダクト側のダクト接続部を示す斜視図
【図３】同同時給排形換気装置の本体の側面図
【図４】同同時給排形換気装置のダクト接続部の構成を示す側面図
【図５】同同時給排形換気装置のフィルターを設けたフィルターケースの断面図
【図６】本発明の実施の形態２の同時給排形換気装置の断面図
【図７】本発明の実施の形態３の同時給排形換気装置の断面図
【図８】本発明の実施の形態４の同時給排形換気装置の本体の側面図
【図９】本発明の実施の形態５の同時給排形換気装置の下面図
【図１０】従来の換気装置の断面図
【符号の説明】
【００８５】
１  室内側排気口
２  室内側給気口
３  室外側排気口
３Ａ  室外側排気口
４  室外側給気口
４Ａ  室外側給気口
４Ｂ  室外側給気口
６  本体
６Ｄ  本体
７  排気用ファン
８  排気用ファンケーシング
８Ａ  排気用ファンケーシング
１０  排気用送風機
１１  給気用ファン
１２  給気用ファンケーシング
１２Ａ  給気用ファンケーシング
１３  給気用送風機
１４  排気流路
１４Ａ  排気流路
１５  給気流路
１５Ａ  給気流路
１６  ダクト
１７  ダクト接続部
１７Ａ  ダクト接続部
１７Ｂ  ダクト接続部
１８  給気連通路
１８Ａ  給気連通路
１８Ｂ  給気連通路
１９  排気連通路
１９Ａ  排気連通路
２０  給気入口
２０Ａ  給気入口
２１  排気出口
２１Ａ  排気出口
２５  案内ガイド
２７  フィルターケース
２８  フィルター
【図１】
2005257122.tif 000003
【図２】
2005257122.tif 000004
【図３】
2005257122.tif 000005
【図４】
2005257122.tif 000006
【図５】
2005257122.tif 000007
【図６】
2005257122.tif 000008
【図７】
2005257122.tif 000009
【図８】
2005257122.tif 000010
【図９】
2005257122.tif 000011
【図１０】
2005257122.tif 000012